(57)【特許請求の範囲】
【請求項１】
テープ状記録媒体が巻架され、少なくとも、回転に応じて断続的に再生動作が行われる再生ヘッドと、該再生ヘッドが接続される再生初段アンプと、該再生初段アンプに電力を供給するための整流回路と、該整流回路から上記再生初段アンプへの供給電力を蓄積して整流回路からの電力供給がないとき上記再生初段アンプに蓄積電力を供給する電力蓄積手段と、上記再生ヘッドによる再生動作とは時間的に重複することなく記録動作が行われる記録ヘッドとが搭載された回転ヘッド部と、
少なくとも上記回転ヘッド部からの上記再生初段アンプの出力信号及び上記整流回路への電力信号を伝送するための回転トランスと、
上記回転トランスに上記電力信号を供給し、上記回転ヘッド部の上記再生ヘッドが再生動作中には上記電力信号の供給を停止する電力供給回路とを有し、
上記回転トランスは、１つのトランス内の複数組の巻線により上記回転ヘッド部に対する全チャネルの信号の伝送を行い、そのチャネル配置が、内側から、電力信号、再生信号、記録信号の順とされること
を特徴とする信号再生装置。
【請求項２】
上記回転ヘッド部の上記整流回路として、入力電圧を逓倍して出力する倍電圧整流回路を用いること
を特徴とする請求項１記載の信号再生装置。
【発明の詳細な説明】
【０００１】
【発明の属する技術分野】
本発明は、回転ヘッド装置の回転側と固定側との間の信号伝送を回転トランスを介して行うような信号再生装置に関し、特に、再生アンプが搭載された回転ドラムを有する信号再生装置に関する。
【０００２】
【従来の技術】
ＤＡＴ（ディジタルオーディオテープレコーダ）やＶＴＲ等において、いわゆるヘリカルスキャンタイプの回転ヘッド装置が知られている。図１１は、このようなヘリカルスキャンタイプの回転ヘッド装置の一例の概略構成を示しており、回転ドラム５１と固定ドラム５２とで構成され、回転ドラム５１の外周側には、記録／再生用の磁気ヘッド５３が窓部５４から露出して配置されている。
【０００３】
図１２は、磁気テープ５５の案内走行状態を示しており、上記回転ヘッド装置の回転ドラム５１及び固定ドラム５２の外周面に磁気テープ５５が斜めに巻き付けられて案内走行駆動され、回転ドラム５１の磁気ヘッドは、磁気テープ５５上をテープ走行方向に対して斜めに走査しながら記録／再生を行う。
【０００４】
回転ドラムの記録／再生ヘッドについての記録／再生信号の伝送は、回転トランス、いわゆるロータリトランスを介して行われる。記録出力アンプや再生初段アンプは、ドラムの外に配置されることが多い。
【０００５】
図１３は、回転ドラムの記録／再生ヘッドと記録／再生アンプとの接続状態を概略的に示す回路図である。この図１３において、上記回転ドラムのような回転側に配置される再生ヘッド６１，６２は、回転トランス７０の巻線７１，７２をそれぞれ介して固定側の再生初段アンプ８１，８２にそれぞれ接続され、回転側の記録ヘッド６３，６４は、回転トランス７０の巻線７３，７４をそれぞれ介して固定側の記録アンプ８３，８４にそれぞれ接続されている。なお、図１３の回転トランス７０の各巻線の参照番号には、固定側に添え字ａを、回転側に添え字ｂをそれぞれ付している。
【０００６】
回転トランスは、例えば図１４のように、固定側のコア７０ａと回転側のコア７０ｂとが空隙を介して対向配置され、各コアには図１５に示すように記録／再生チャネル数分の同心円状の溝７６が対向面側に形成されており、これらの溝内に、固定側では巻線７１ａ〜７４ａが、回転側では巻線７１ｂ〜７４ｂが、それぞれ巻装されている。このような回転トランス７０は、コア７０ａ，７０ｂ間に空隙が存在するため、空隙の無いトランスに比べて伝送ロスの大きいものとなっている。
【０００７】
この回転トランスの伝送ロスにより、微弱な再生ヘッド出力信号が減少し、アンプノイズに対する信号／ノイズの比、いわゆるＳＮ比が低下し、アンプ出力信号の品質の劣化を招くことになる。
【０００８】
次に、図１６は、再生ヘッドから再生初段アンプまでの等価的な回路構成を示す回路図であり、信号源８１で再生ヘッド起電圧ｖ1 を表し、コイル８２でヘッドインダクタンスＬを表している。コンデンサ８３は、アンプ入力容量、配線容量及びロータリトランス容量の総和の容量Ｃを表し、抵抗８４は、ヘッドのＬに並列に見える抵抗成分に加えダンピング抵抗の並列合成値Ｒを表している。これらが再生初段アンプ８５の入力側に接続されることになる。
【０００９】
この図１６から明らかなように、ヘッドのインダクタンスＬと、アンプの入力端子に見える容量Ｃとで、低域通過フィルタ（ローパスフィルタ）が形成され、このローパスフィルタによる図１７に示すような特性のカットオフ周波数ω0 が、この系の周波数帯域の上限を決めていることになる。なお、上記カットオフ周波数ω0 は、例えば、
ω0 ＝１／√（ＬＣ）
である。
【００１０】
アンプの入力側に見える容量Ｃは、アンプ自身の持つ入力容量もあるが、回転トランスの巻線に並列に見える容量や、ヘッドと回転トランス間、回転トランスとアンプ間の配線容量も、時にはアンプ自身の持つ入力容量より大きなものとして、周波数帯域を制限することになる。
【００１１】
そこで、再生初段アンプを回転ドラム上に設けることが行われている。
これにより、上述したような回転トランスでの損失による再生信号の減衰もなく、またアンプの入力側の容量も小さくなって、周波数帯域が伸びる。
【００１２】
すなわち、図１８の（Ａ）は固定側に再生初段アンプ１０４を設ける場合を示し、再生ヘッド１０１と再生初段アンプ１０４との間には、回転トランス１０２、ケーブル１０３の容量が並列に接続されることになるのに対し、図１８の（Ｂ）に示すように回転側に再生初段アンプ１１２を設ける場合には、再生ヘッド１１１と再生初段アンプ１１２とが至近に配置されて、アンプ入力側の容量としては殆どアンプ自身の持つ入力容量に抑えられ、ローパスフィルタのカットオフ周波数が高くなって、周波数帯域が伸びる。
【００１３】
【発明が解決しようとする課題】
ところで、上述したように再生初段アンプを回転側に設ける場合には、アンプの動作電源電力を回転ドラム側に供給することが必要とされる。このための一手法としては、回転トランスを介して電力伝送することが知られている。
【００１４】
この場合には、回転トランスに記録／再生の信号系のチャネルの他に、図１９に示すように、電力伝送チャネルを追加する。すなわち、電力供給ドライバ１２１からの電力信号を、回転トランス１２２の巻線１２２Ｐを介して整流回路１２３に供給し、平滑・電圧安定化部１２４を介して再生初段アンプ１２６に電力供給している。再生初段アンプ１２６は、再生ヘッド１２５からの再生信号を増幅して、回転トランス１２２を介して固定側に送る。
【００１５】
図２０は、図１９の電力供給ドライバ１２１の構成例を示し、交流電源１３１からの電力をＣＭＯＳドライバ回路１３２及び１３３を介して回転トランスの固定側巻線に供給している。この図２０のａ〜ｅに示す各部の信号波形を図２１の（ａ）〜（ｅ）に示す。図２１の（ｆ）は、回転トランスの固定側巻線に供給される２つのＣＭＯＳドライバ回路１３２及び１３３からのプッシュプル出力を示し、上記信号ｃ，ｅの差分であるｃ−ｅに相当する。
【００１６】
ところが、この図１９のような構成では、電力伝送チャネルの信号が、回転トランスの各巻線を通じて、又は空中を飛んで、記録／再生の信号系に飛び込み、信号のＳＮ比を低下させる、という欠点がある。特に、微弱な信号である再生ヘッド出力への影響は大きいものである。
【００１７】
本発明は、上述の実情に鑑みてなされたものであり、再生初段アンプを回転ヘッド装置の回転側に設けても、電力伝送チャネルからの悪影響を防止できるような信号再生装置を提供することを目的とする。
【００１８】
【課題を解決するための手段】
本発明は、上述した課題を解決するために、テープ状記録媒体が巻架され、少なくとも、回転に応じて断続的に再生動作が行われる再生ヘッドと、該再生ヘッドが接続される再生初段アンプと、該再生初段アンプに電力を供給するための整流回路と、該整流回路から上記再生初段アンプへの供給電力を蓄積して整流回路からの電力供給がないとき上記再生初段アンプに蓄積電力を供給する電力蓄積手段と、上記再生ヘッドによる再生動作とは時間的に重複することなく記録動作が行われる記録ヘッドとが搭載された回転ヘッド部と、少なくとも上記回転ヘッド部からの上記再生初段アンプの出力信号及び上記整流回路への電力信号を伝送するための回転トランスと、上記回転トランスに上記電力信号を供給し、上記回転ヘッド部の上記再生ヘッドが再生動作中には上記電力信号の供給を停止する電力供給回路とを有し、上記回転トランスは、１つのトランス内の複数組の巻線により上記回転ヘッド部に対する全チャネルの信号の伝送を行い、そのチャネル配置が、内側から、電力信号、再生信号、記録信号の順とされることを特徴としている。
【００２１】
また、上記回転ヘッド部の上記整流回路として、入力電圧を逓倍して出力する倍電圧整流回路を用いることが好ましい。
【００２２】
再生チャネルの信号伝送時には、電力伝送が行われないため、電力伝送信号からの微弱な再生ヘッド出力への悪影響が防止される。
【００２３】
【発明の実施の形態】
以下、本発明に係る信号再生装置の好ましい実施の形態について、図面を参照しながら説明する。
【００２４】
図１は、本発明の実施の形態となる信号再生装置の一例を示している。
この図１において、回転ヘッド部１０は、前述した回転ドラムや回転ディスク等に設けられる部分であり、前記固定ドラムと共に構成される円筒体の外周にテープ状記録媒体である磁気テープ４０が巻架されて案内走行され、回転に応じて再生ヘッド１１が磁気テープに摺接して再生動作が行われる。ここで、再生ヘッド１１の再生動作は、磁気テープ４０に摺接している時間以内で行われ、例えば９０°巻き付けの場合には１回転周期毎に１／４周期以内の時間の割合で断続的に再生動作が行われる。なお、再生ヘッドが複数個設けられている場合には、１回転周期内で各再生ヘッドが磁気テープに摺接している時間以内で順次再生動作が行われる。本例では、再生ヘッドによる再生動作が断続的に行われ、再生動作が行われない期間が必ず存在するものとしている。
【００２５】
図１の回転ヘッド部１０には、上述したように回転に応じて断続的に再生動作が行われる再生ヘッド１１の他に、この再生ヘッド１１が接続される再生初段アンプ１２と、この再生初段アンプ１２に電力を供給するための整流回路１５と、この整流回路１５から再生初段アンプ１２への供給電力を蓄積して整流回路１５からの電力供給がないとき再生初段アンプ１２に蓄積電力を供給する電力蓄積手段としてのコンデンサ１６とが少なくとも設けられている。コンデンサ１６は、整流回路１５からの整流出力を平滑するための平滑コンデンサでもあり、これに電源電圧安定化用のレギュレータ１７が接続され、コンデンサ１８を介して安定化された電源電力が再生初段アンプ１２に供給されるように構成されている。この他、回転ヘッド部１０には、もう一組の再生ヘッド及び再生初段アンプや、２チャネル分の記録ヘッドが設けられたり、記録、再生のそれぞれ専用ヘッドの代わりに記録再生ヘッド等が設けられたりすることが多いが、本発明の要旨には関係しないため、図示せず説明を省略する。
【００２６】
回転ヘッド部１０の再生初段アンプ１２からの出力信号及び整流回路１５への電力信号を伝送するために、回転トランス（ロータリトランス）２０が設けられている。回転トランス２０は、固定側の巻線２１ａ，２２ａにそれぞれ対向して電磁結合される回転側の巻線２１ｂ，２２ｂを有しており、回転側の巻線２１ｂに整流回路１５が接続され、回転側の巻線２２ｂに再生初段アンプ１２が接続されている。
【００２７】
また、固定側の構成として、回転トランス２０に上記電力信号を供給し、回転ヘッド部１０の再生ヘッド１１が再生動作中には上記電力信号の供給を停止する電力供給回路３０が設けられる。この電力供給回路３０からの電力信号は、回転トランス２０の固定側巻線２１ａに供給され、電力供給の制御端子３１には、制御回路４２からの電力供給停止制御信号が供給されている。また、回転トランス２０の固定側巻線２１ａには、ＲＦ復調や誤り検出訂正等を含む信号再生系回路部４１が接続されている。
【００２８】
電力供給回路３０としては、例えば図２に示すような構成が挙げられる。この図２において、制御端子３１には電力供給を停止制御するための出力イネーブル信号ａが供給されている。この出力イネーブル信号ａの一例を、図３の（ａ）に示す。また、交流電源（発振器）３２からの出力信号ｂ（電圧ｖ）は、例えば図３の（ｂ）のようになり、周波数は例えば数十〜数百ｋHzとされている。この出力信号ｂは、一部はそのまま、一部は反転されて、ゲート制御回路３４に送られる。ゲート制御回路３４は、ＡＮＤゲートやＮＡＮＤゲートを有して成り、制御端子３１からの出力イネーブル信号ａが“Ｌ”（ローレベル）のとき入力を遮断し、出力イネーブル信号ａが“Ｈ”（ハイレベル）のとき入力を通過させる。このゲート制御回路３４からの出力信号ｃ，ｄ，ｆ，ｇが、ＣＭＯＳドライバ回路３６，３７にそれぞれ送られる。さらに、ＣＭＯＳドライバ回路３６からの出力信号ｅが上記回転トランス２０の固定側巻線２１ａの一方の端子に、ＣＭＯＳドライバ回路３７からの出力信号ｈが同固定側巻線２１ａの他方の端子に、それぞれ送られ、この固定側巻線２１ａの両端子間には、これらの出力信号ｅとｈとの差に相当するｅ−ｈが印加される。これらの各信号ｃ〜ｈの一例を図３の（ｃ）〜（ｈ）に、また信号ｅ−ｈの一例を図３の（ｉ）にそれぞれ示す。
【００２９】
ここで、上記出力イネーブル信号ａが“Ｌ”となってゲート制御回路３４への入力が遮断されるときには、ゲート制御回路３４からの各出力信号ｃ，ｄ，ｆ，ｇは、例えば図３の（ｃ），（ｄ），（ｆ），（ｇ）にそれぞれ示すように、ＣＭＯＳドライバ回路３６，３７の各ＰチャネルＭＯＳトランジスタへの信号ｃ，ｆが“Ｈ”に、各ＮチャネルＭＯＳトランジスタへの信号ｄ，ｇが“Ｌ”になるため、Ｐチャネル、Ｎチャネルの全てのＭＯＳトランジスタがオフ状態となり、各ＣＭＯＳドライバ回路３６，３７からの出力ｅ，ｈは、例えば図３の（ｅ），（ｈ）に示すように、高インピーダンス状態となる。このとき、電力供給回路３０からの電力供給は停止あるいはカットされる。
【００３０】
このように上記出力イネーブル信号ａを“Ｌ”とするのは、上記図１の回転ヘッド部１０の再生ヘッド１１が再生動作状態にあるときであり、複数の再生ヘッドが設けられる場合には、いずれか少なくとも１つの再生ヘッドが再生動作状態にあるときである。
【００３１】
再生ヘッドの再生動作時には電力伝送を停止することから、この再生時に使用する電力は、整流回路１５に接続されたコンデンサ１６が放電する電荷を利用する。一般に容量Ｃのコンデンサの電圧の変化分ΔＶは、電流ｉで時間ｔだけ放電するとき、
ΔＶ＝−ｉｔ／Ｃ
と表される。
【００３２】
ここで一具体例として、図４及び図５に示すように、再生ヘッドによる再生動作期間が１０ｍｓであり、電流ｉ＝１０ｍＡとし、満充電時の電圧からの降下電圧を５Ｖに抑える場合を考察する。このとき、コンデンサ１６の容量Ｃとして、Ｃ＝２０μＦとすれば、電圧の低下分を５Ｖに抑えることができ、例えばレギュレータ１７による電圧安定化後の電圧を例えば５Ｖとすれば、問題なく電力供給が行える。図５は、（Ａ）が上記電力供給の出力イネーブル信号を示し、（Ｂ）が回転トランスを介して伝送される電力信号を示し、（Ｃ）が整流後の出力電圧ａと、レギュレータ１７による電圧安定化後の電圧ｂを示している。この図５の（Ｃ）の安定化電源出力電圧ｂから明らかなように、再生動作期間に回転トランスを介しての電力供給をカットしても、コンデンサ１６の蓄積電荷により、再生アンプへの電力供給は連続して行える。
【００３３】
ところで、上記図１の整流回路１５としては、例えば４個のダイオードのブリッジによる全波整流回路が用いているが、整流時に電圧を逓倍するような倍電圧整流回路を用いることが挙げられる。この倍電圧整流回路の一例を図６に示す。この図６に示す倍電圧整流回路１５’において、上記回転トランスの回転側巻線２１ｂを介して供給される入力電圧ｖが正のときは、ダイオードＤ1 がオンになって、コンデンサＣ1 の充電電圧ｖC1はほぼ上記電圧ｖとなり、上記入力電圧ｖが負のときは、ダイオードＤ2 がオンになって、コンデンサＣ2 の充電電圧ｖC2はほぼ上記電圧ｖとなることより、コンデンサＣ3 には、ほぼ２ｖの電圧ｖC3が発生する。
【００３４】
このような倍電圧整流回路１５’の採用により、固定側の上記電力供給回路３０から出力する電圧は通常の両波整流回路の場合の１／２で済むことになる。
【００３５】
ここで、固定側での供給電圧を低く抑えるには、図７の（Ｃ）に示すように、回転トランスでの巻線比を利用していわゆるステップアップを行うことでも実現できる。すなわち、図７の（Ａ）は図１と同様な通常の電力供給を行う場合を、（Ｂ）は図６と共に説明したような倍電圧整流回路を用いる場合を、（Ｃ）は回転トランスの固定側の巻線：回転側の巻線の巻数の比率を０．５：１とすることで出力電圧をステップアップする場合をそれぞれ示している。
【００３６】
しかしながら、図７の（Ｃ）の場合には、回転トランスの固定側の巻線２１ａの巻数が通常の１／２と少なくなり、上記電力供給回路３０から見たトランスのインダクタンスが１／４に減少する。これは、元来、回転トランスの伝送効率を上げるために、トランスの１次側、２次側ともにインダクタンスを上げることが必要とされ、各巻線２１ａ，２１ｂの巻数をいずれも可能な上限値にまで多くしているが、上述のようにステップアップ比を２とする場合には、図７の（Ｃ）の固定側の巻線２１ａ’の巻数を上記上限値の１／２に減らさざるを得ないからである。このように巻数が１／２に減少すれば、インダクタンスは１／４に減少することになる。
【００３７】
図８は、上記図１の電力供給回路３０と回転トランスの等価回路を示している。この図８において、電力供給回路３０には出力抵抗が存在し、その抵抗値をＲとするとき、トランスのインダクタンスＬとの間でＨＰＦ（高域通過フィルタ）が形成され、低い周波数での電力伝送効率が低下する。このＨＰＦのカットオフ周波数ｆは、
ｆ0＝Ｒ／（２πＬ）
で表され、ＨＰＦは図９のような伝達特性となる。この図９で、ω0＝２πｆ0である。
【００３８】
いわゆるＤＡＴ（ディジタルオーディオテープレコーダ）やディジタルＶＴＲ等の通常のヘリカルスキャン記録再生システムでは、記録再生信号帯域が１ＭHz以上から数十ＭHz程度までとなることが多い。電力伝送信号からの記録再生チャネルへの影響を抑えるには、電力伝送信号としてできる限り低い周波数を使用することが有効であるが、トランスを上述のようにステップアップすると、電力伝送周波数の下限が上がってしまう、という問題点がある。
【００３９】
これに対して、上記倍電圧整流回路を用いる場合には、電力伝送周波数の制限（下限）に影響を与えずに、電力供給回路３０からの出力電圧を１／２に低くできる。これは、電力供給回路３０の電源電圧が低くて済む上に、回転トランスを介して伝送される電圧が低くなるため、記録再生系への空中経由の飛び込みの低減や、回転トランスにおけるクロストーク量削減でも効果がある。
【００４０】
次に、回転トランスにおける各チャネルの巻線の配置について、図１０を参照しながら説明する。
【００４１】
図１０は、記録チャネル、再生チャネル共にそれぞれ２チャネルの場合の回転トランス２０における各チャネルの巻線の配置を示している。この図１０において、固定側のコア２０ａと回転側のコア２０ｂとが対向して配置され、これらのコア２０ａ，２０ｂにはそれぞれ同心円状の５組の互いに対向する溝が穿設され、これらの５組の溝内に、内周側から外周側に向かって、電力伝送用の巻線２１、再生信号伝送用の巻線２２、２３、及び記録信号伝送用の巻線２４、２５が配置されている。
【００４２】
このような配置とする理由を説明する。先ず、同一のトランス内ではチャネル間のクロストークが大きく、通常、隣のチャネルに１／１０以上の大きさの信号が漏れる。本発明の上記実施の形態によれば、再生動作時に電力信号の伝送を停止していることから、電力信号による再生チャネルへのクロストークの悪影響が無くなるため、電力チャネルと再生チャネルとは近接して配置してもよいことになり、電力チャネルと記録チャネルとを離すことが重要となる。従って、回転トランスの径方向の配列順序としては、電力チャネル、再生チャネル、記録チャネルとすることが好ましい。次に、これらのチャネルを内周側と外周側のいずれに配置するかについては、ヘッドが回転ドラムの外周近傍に設けられており、外側のチャネルほどヘッドに近くなるから、電力チャネルを最内周側に配置し、外側に向かって、再生チャネル、記録チャネルの順に配置すればよい。これらの理由から、図１０に示すような配置が採用されたものである。
【００４３】
従って、図１０の各チャネルの巻線の配置とすることにより、電力チャネルからヘッドへの飛び込みを最小にできる。さらに、上記電力供給回路３０から回転トランスの巻線に接続される線材については、電力チャネルが回転トランスの最内周にあると、ドラムの軸近辺を通すことで、記録再生信号の線材と交わらせずに離して引き回すことができ、この点でも有利である。
【００４４】
なお、本発明は上述した実施の形態のみに限定されるものではなく、例えば、回転ヘッド装置の回転部は、回転ドラム以外にも回転ディスクタイプのもの等があり、再生ヘッドのみ、あるいは再生ヘッドと記録ヘッドとを有するもの、あるいは記録再生兼用ヘッドを用いるものであってもよい。また、倍電圧整流回路の構成は、図示の例に限定されず、電圧の逓倍数も２倍に限定されず、３倍、４倍等の種々の倍電圧整流回路を使用できる。この他、本発明の要旨を逸脱しない範囲で種々の変更が可能であることは勿論である。
【００４５】
【発明の効果】
以上の説明からも明らかなように、本発明によれば、テープ状記録媒体に記録された信号を回転ヘッド部の再生ヘッドにより回転に応じて断続的に再生し、該再生ヘッドからの再生信号を回転トランスを介して取り出す際に、上記回転ヘッド部に、上記再生ヘッドからの信号を増幅する再生初段アンプと、整流回路と、電力蓄積手段とを設け、上記再生ヘッドの再生動作が行われない期間中に上記回転トランスを介し上記整流回路に電力信号を供給して、該整流回路からの整流出力電力を上記再生初段アンプ及び上記電力蓄積手段に供給し、上記再生ヘッドの再生動作中には、上記電力蓄積手段からの蓄積電力を上記再生初段アンプに供給しているため、再生チャネルの信号伝送時には電力伝送が行われず、電力伝送信号から再生ヘッド出力への悪影響が防止される。
【００４６】
また、回転ヘッド部の上記整流回路として、入力電圧を逓倍して出力する倍電圧整流回路を用いることにより、電力供給源の出力電圧を低下させることができ、電力供給回路の負担軽減が図れ、記録再生系への影響も小さくできる。
【００４７】
さらに、回転トランスとして、１つのトランス内の複数組の巻線により上記回転ヘッド部に対する全チャネルの信号の伝送を行い、そのチャネル配置を、内側から、電力信号、再生信号、記録信号の順とすることにより、記録チャネルを電力チャネルから最も遠く配置し、記録チャネルへの影響を最小にとどめることができる。
【図面の簡単な説明】
【図１】本発明の実施の形態の構成の一例を示すブロック図である。
【図２】図１の電力供給回路の構成の一具体例を示すブロック回路図である。
【図３】図２の電力供給回路の各部信号波形の一例を示すタイミングチャートである。
【図４】回転ヘッド部での電力供給を説明するためのブロック図である。
【図５】回転ヘッド部での電力供給動作を説明するための波形図である。
【図６】倍電圧整流回路の一例を示すブロック回路図である。
【図７】回転トランスを介しての電力供給のいくつかの例を概略的に示す等価回路図である。
【図８】電力供給回路と回転トランスにより構成される高域通過フィルタを説明するための等価回路図である。
【図９】電力供給回路と回転トランスにより構成される高域通過フィルタの周波数特性の一例を示す図である。
【図１０】回転トランスの電力用、再生用、記録用の各チャネルの巻線の配置例を示す概略断面図である。
【図１１】ヘリカルスキャンタイプの回転ヘッド装置の概略構成を示す斜視図である。
【図１２】ヘリカルスキャンタイプの回転ヘッド装置のテープ案内走行状態を示す斜視図である。
【図１３】回転ドラムの記録／再生ヘッドと記録／再生アンプとの接続状態を概略的に示す回路図である。
【図１４】回転トランスの一例を示す概略断面図である。
【図１５】回転トランスのコアの一例を概略的に示す斜視図である。
【図１６】再生ヘッドから再生初段アンプまでの等価的な回路構成を示す回路図である。
【図１７】図１６の等価回路の周波数特性の一例を示す図である。
【図１８】再生初段アンプを固定側に設ける場合と、回転側に設ける場合の等価回路を示す回路図である。
【図１９】再生初段アンプを回転側に設ける場合の電力供給を説明するためのブロック回路図である。
【図２０】図１９中の電力供給ドライバの構成例を概略的に示す回路図である。
【図２１】図２０の各部の動作波形を示すタイミングチャートである。
【符号の説明】
１０  回転ヘッド部、  １１  再生ヘッド、  １２  再生初段アンプ、  １５整流回路、  １５’  倍電圧整流回路、  １６  電力蓄積手段としてのコンデンサ、  ２０  回転トランス、  ３０  電力供給回路、  ３１  制御端子、  ４０  磁気テープ、  ４２  制御回路
【図１】
0003680493.tif 000002
【図２】
0003680493.tif 000003
【図３】
0003680493.tif 000004
【図４】
0003680493.tif 000005
【図５】
0003680493.tif 000006
【図６】
0003680493.tif 000007
【図７】
0003680493.tif 000008
【図８】
0003680493.tif 000009
【図９】
0003680493.tif 000010
【図１０】
0003680493.tif 000011
【図１１】
0003680493.tif 000012
【図１２】
0003680493.tif 000013
【図１３】
0003680493.tif 000014
【図１４】
0003680493.tif 000015
【図１５】
0003680493.tif 000016
【図１６】
0003680493.tif 000017
【図１７】
0003680493.tif 000018
【図１８】
0003680493.tif 000019
【図１９】
0003680493.tif 000020
【図２０】
0003680493.tif 000021
【図２１】
0003680493.tif 000022